(57)【特許請求の範囲】
【請求項１】
（１）光コネクタの挿入された複数の挿入口と、光ファイバを通す連絡窓とを有する少なくとも２つの収納体と、
前記収納体を回転可能に設置面に設置するベースと
を備え、
前記複数の挿入口は、前記設置面に対して垂直な方向に並んで配置されており、
前記収納体の回転軸は、前記設置面と平行な方向であり、
前記収納体の前記複数の挿入口が前記設置面に対して垂直な方向に沿って移動するように、前記収納体が前記ベースに対して回転可能であり、
（２）一方の収納体の前記複数の挿入口と他方の収納体の前記複数の挿入口とが互いに隣り合う状態から、前記一方の収納体を前記ベースに対して回転させて前記複数の挿入口が並ぶ方向に沿って前記複数の挿入口を移動させることによって、前記一方の収納体の前記複数の挿入口のいずれもが前記他方の収納体の前記複数の挿入口のいずれにも隣り合わない状態にさせることができ、
（３）２つの前記収納体の間で互いの前記連絡窓を通じて光ファイバが配線されており、
前記一方の収納体の前記複数の挿入口のいずれもが前記他方の収納体の前記複数の挿入口のいずれにも隣り合わない状態においても、互いの前記連絡窓の少なくとも一部が対向し続けており、
（４）前記挿入口に挿入された前記光コネクタは、断面長方形状の外被を有するケーブルの端末に取り付けられており、
前記ケーブルの断面長辺方向が前記挿入口の並ぶ方向に沿うように前記光コネクタが前記挿入口に挿入されている
ことを特徴とする光モジュール。
【請求項２】
請求項１に記載の光モジュールであって、
前記挿入口を構成する壁面のうち、前記挿入口の並ぶ方向と直交する方向の壁面に、前記光コネクタを着脱方向に案内するための溝が設けられている
ことを特徴とする光モジュール。
【請求項３】
請求項１又は２に記載の光モジュールであって、
前記収納体及び前記ベースのいずれかに突起が設けられており、他方に位置決め穴が設けられており、
前記突起が前記位置決め穴に入り込むことによって、前記一方の収納体が前記ベースに対して固定される
ことを特徴とする光モジュール。
【請求項４】
請求項３に記載の光モジュールであって、
前記収納体に前記突起が設けられており、
前記ベースに前記位置決め穴が設けられており、
前記突起が前記位置決め穴に入り込むことによって、前記収納体が前記ベースに対して固定される
ことを特徴とする光モジュール。
【請求項５】
請求項１〜４のいずれかに記載の光モジュールであって、
前記収納体は、前記複数の挿入口が形成されているハウジング部と、前記光コネクタに光接続されることになる光ファイバを収納するための収納部とをそれぞれ備えており、
前記ハウジング部と前記収納部とが一体成型されている
ことを特徴とする光モジュール。
【請求項６】
請求項１〜５のいずれかに記載の光モジュールを設置した光接続箱であって、
前記光接続箱は、前記光接続箱を開閉するための開閉部材を有しており、
前記設置面と前記開閉部材との間に前記光モジュールが設置され、
前記収納体を回転させると、前記開閉部材を開けたときに開放された外部空間に前記挿入口が移動する
ことを特徴とする光接続箱。
【請求項７】
請求項１〜５のいずれかに記載の光モジュールを光接続箱に設置する方法であって、
前記光接続箱は、前記光接続箱を開閉するための開閉部材を有しており、
前記収納体を回転させると前記開閉部材を開けたときに開放された外部空間に前記挿入口が移動するように、前記設置面と前記開閉部材との間に前記光モジュールを設置する
ことを特徴とする光モジュールの設置方法。
【発明の詳細な説明】
【技術分野】
【０００１】
本発明は、光モジュール、光接続箱、及び、光モジュールを光接続箱に設置する方法に関する。
【背景技術】
【０００２】
従来、光スプリッタモジュールや光カプラモジュールや光ファンアウトモジュールなどの光モジュールが知られている。光部品や光ファイバ（若しくは光ファイバの一部）などから構成されるこれらの光モジュールでは、複数の光コネクタとの接続を可能にするため、複数の挿入口が設けられることがある。
【０００３】
挿入口を複数有する光モジュールを小型化するためには、挿入口を高密度に実装する必要がある。但し、複数の挿入口を高密度に実装すると、光コネクタの着脱作業が困難となる。
【０００４】
これに対し、特許文献１では、光コネクタを挿抜するための挿抜治具が用いられている。また、特許文献２では、図１９に示すように、複数の挿入口を２列に配置することによって挿入口を高密度に実装するとともに、光コネクタの着脱を容易にするために筐体を回動可能にしている。
【先行技術文献】
【特許文献】
【０００５】
【特許文献１】特開２００９−４７９８５号公報
【特許文献２】特開２００９−２５８１７８号公報
【発明の概要】
【発明が解決しようとする課題】
【０００６】
特許文献１のような挿抜治具を用いる場合、光コネクタの着脱作業を行う作業者は、挿抜治具を携行しなければならなくなる。また、各作業者に挿抜治具を配布するために大量の挿抜治具を用意しなければならず、コストがかかってしまう。このため、挿抜治具を用いずに光コネクタの着脱が容易な構造にすることが望ましい。
【０００７】
特許文献２の光スプリッタモジュールでは、２列に並ぶ挿入口の間隔を離間させるように筐体を回動させるため、狭いスペースの設置に不利である。
【０００８】
本発明は、狭いスペースの設置に有利であり、光コネクタの着脱作業が容易な光モジュールを提供することを目的とする。また、本発明は、光モジュールを設置した光接続箱を提供することや、光モジュールを光接続箱に設置する方法を提供することも目的とする。
【課題を解決するための手段】
【０００９】
上記目的を達成するための主たる発明は、（１）光コネクタの挿入された複数の挿入口と、光ファイバを通す連絡窓とを有する少なくとも２つの収納体と、前記収納体を回転可能に設置面に設置するベースとを備え、前記複数の挿入口は、前記設置面に対して垂直な方向に並んで配置されており、前記収納体の回転軸は、前記設置面と平行な方向であり、前記収納体の前記複数の挿入口が前記設置面に対して垂直な方向に沿って移動するように、前記収納体が前記ベースに対して回転可能であり、（２）一方の収納体の前記複数の挿入口と他方の収納体の前記複数の挿入口とが互いに隣り合う状態から、前記一方の収納体を前記ベースに対して回転させて前記複数の挿入口が並ぶ方向に沿って前記複数の挿入口を移動させることによって、前記一方の収納体の前記複数の挿入口のいずれもが前記他方の収納体の前記複数の挿入口のいずれにも隣り合わない状態にさせることができ、（３）２つの前記収納体の間で互いの前記連絡窓を通じて光ファイバが配線されており、前記一方の収納体の前記複数の挿入口のいずれもが前記他方の収納体の前記複数の挿入口のいずれにも隣り合わない状態においても、互いの前記連絡窓の少なくとも一部が対向し続けており、（４）前記挿入口に挿入された前記光コネクタは、断面長方形状の外被を有するケーブルの端末に取り付けられており、前記ケーブルの断面長辺方向が前記挿入口の並ぶ方向に沿うように前記光コネクタが前記挿入口に挿入されていることを特徴とする光モジュールである。
【００１０】
本発明の他の特徴については、後述する明細書及び図面の記載により明らかにする。
【発明の効果】
【００１１】
本発明によれば、光コネクタの着脱作業が容易な光モジュールを狭いスペースに設置することができる。
【図面の簡単な説明】
【００１２】
【図１】図１Ａは、光スプリッタモジュール１の説明図である。図１Ｂは、光コネクタ３が接続されているときの様子の説明図である。
【図２】図２Ａは、一方の収納体２を回転させたときの光スプリッタモジュール１の説明図である。図２Ｂは、光コネクタ３が接続されているときの様子の説明図である。
【図３】光スプリッタモジュール１の設置例の説明図である。
【図４】図４Ａ及び図４Ｂは、図３の設置状態の概略説明図である。図４Ａは正面図であり、図４Ｂは側面図である。
【図５】図５Ａ及び図５Ｂは、図１９のような光スプリッタモジュールを光接続箱に設置した第１比較例の概略説明図である。図５Ａは正面図であり、図５Ｂは側面図である。
【図６】図６Ａ及び図６Ｂは、第２比較例の概略説明図である。図６Ａは正面図であり、図６Ｂは側面図である。
【図７】本実施形態の収納ケース２０の斜視図である。
【図８】内部コネクタ５０と、内部コネクタ５０を前側収納部４１に収納した様子の斜視図である。
【図９】内部コネクタ５０の分解図である。
【図１０】カバー６０の斜視図である。
【図１１】カバー６０の正投影図である。
【図１２】ベース７０の斜視図である。
【図１３】ピン８０の斜視図である。
【図１４】組み立て時の様子の説明図である。
【図１５】図１５Ａは、別の設置例の説明図である。図１５Ｂは、上から見た概略説明図である。
【図１６】変形例の光スプリッタモジュールの説明図である。
【図１７】９個の挿入口を備えた光スプリッタモジュールの変形例の説明図である。
【図１８】収納体を１個だけ備えた光スプリッタモジュールの説明図である。
【図１９】従来の光スプリッタモジュールの説明図である。
【発明を実施するための形態】
【００１３】
後述する明細書及び図面の記載から、少なくとも以下の事項が明らかとなる。
【００１４】
光コネクタを挿入するための複数の挿入口を有する収納体と、前記収納体を回転可能に設置面に設置するベースとを備え、前記複数の挿入口は、前記設置面に対して垂直な方向に並んで配置されており、前記収納体の回転軸は、前記設置面と平行な方向であり、前記収納体の前記複数の挿入口が前記設置面に対して垂直な方向に沿って移動するように、前記収納体が前記ベースに対して回転可能であることを特徴とする光モジュールが明らかとなる。このような光モジュールによれば、狭いスペースの設置に有利であり、光コネクタの着脱作業が容易である。
【００１５】
また、前記収納体を少なくとも２つ備え、一方の収納体の前記複数の挿入口と他方の収納体の前記複数の挿入口とが互いに隣り合う状態から、前記一方の収納体を前記ベースに対して回転させて前記複数の挿入口が並ぶ方向に沿って前記複数の挿入口を移動させることによって、前記一方の収納体の前記複数の挿入口のいずれもが前記他方の収納体の前記複数の挿入口のいずれにも隣り合わない状態にさせることができることが望ましい。これにより、光コネクタの着脱作業が容易になる。
【００１６】
２つの前記収納体は、それぞれ連絡窓を有しており、２つの前記収納体の間で互いの前記連絡窓を通じて光ファイバが配線されており、前記一方の前記複数の挿入口のいずれもが前記他方の収納体の前記複数の挿入口のいずれにも隣り合わない状態においても、互いの前記連絡窓の少なくとも一部が対向し続けていることが望ましい。これにより、連絡窓を通じて光ファイバを配線させることが可能となる。
【００１７】
また、前記収納体を少なくとも２つ備え、一方の収納体の前記複数の挿入口と他方の収納体の前記複数の挿入口とが並んで配置された状態から、前記一方の収納体を前記ベースに対して回転させて前記複数の挿入口が並ぶ方向に沿って前記複数の挿入口を移動させることによって、前記一方の収納体の前記設置面に一番近い挿入口が、前記他方の収納体の前記設置面に一番遠い挿入口よりも前記設置面から離れて位置する状態にさせることができることが望ましい。これにより、光コネクタの着脱作業が容易になる。
【００１８】
２つの前記収納体は、それぞれ連絡窓を有しており、２つの前記収納体の間で互いの前記連絡窓を通じて光ファイバが配線されており、前記一方の収納体の前記設置面に一番近い挿入口が前記他方の収納体の前記設置面に一番遠い挿入口よりも前記設置面から離れて位置する状態においても、互いの前記連絡窓の少なくとも一部が対向し続けていることが望ましい。これにより、連絡窓を通じて光ファイバを配線させることが可能となる。
【００１９】
前記収納体及び前記ベースのいずれかに突起が設けられており、他方に位置決め穴が設けられており、前記突起が前記位置決め穴に入り込むことによって、前記一方の収納体が前記ベースに対して固定されることが望ましい。また、前記収納体に前記突起が設けられており、前記ベースに前記位置決め穴が設けられており、前記突起が前記位置決め穴に入り込むことによって、前記収納体が前記ベースに対して固定されることが望ましい。これにより、収納体の姿勢が安定した状態で光コネクタを着脱できるので、光コネクタの着脱作業が容易になる。
【００２０】
前記収納体は、前記複数の挿入口が形成されているハウジング部と、前記光コネクタに光接続されることになる光ファイバを収納するための収納部とをそれぞれ備えており、
前記ハウジング部と前記収納部とが一体成型されていることが望ましい。これにより、収納体を小型化できる。
【００２１】
また、上記の光モジュールを設置した光接続箱であって、前記光接続箱は、前記光接続箱を開閉するための開閉部材を有しており、前記設置面と前記開閉部材との間に前記光モジュールが設置され、前記収納体を回転させると、前記開閉部材を開けたときに開放された外部空間に前記挿入口が移動することを特徴とする光接続箱が明らかとなる。これにより、狭いスペースに光モジュールを設置した光接続箱を提供できる。
【００２２】
また、上記の光モジュールを光接続箱に設置する方法であって、前記光接続箱は、前記光接続箱を開閉するための開閉部材を有しており、前記収納体を回転させると前記開閉部材を開けたときに開放された外部空間に前記挿入口が移動するように、前記設置面と前記開閉部材との間に前記光モジュールを設置することを特徴とする光モジュールの設置方法が明らかとなる。これにより、狭いスペースに光モジュールを設置することができる。
【００２３】
＝＝＝概要＝＝＝
図１Ａは、光スプリッタモジュール１の説明図である。図１Ｂは、光コネクタ３が接続されているときの様子の説明図である。
【００２４】
以下の説明では、図に示すように、前後、上下、左右を定義する。すなわち、光コネクタの着脱方向を「前後方向」とし、光コネクタの挿入口が開口する側を「前」とし、挿入口の内部に向かう方向を「後」とする。また、５個の光コネクタの挿入口の並ぶ方向を「上下方向」とし、設置面に遠い側を「上」とし、設置面に近い側を「下」とする。また、収納体２の回転軸の軸方向を「左右方向」とし、図１Ｂに示すように光コネクタ３を着脱する作業者から見た方向から「左右」を定義する。
【００２５】
本実施形態の光スプリッタモジュール１は、２個の収納体２と、ベース７０と、ピン８０とを有する。
【００２６】
２個の収納体２は、それぞれ、光信号の分岐・結合を行う光スプリッタを収納可能である。それぞれの収納体２は、入出力ポートを５個ずつ備えている。本実施形態の光スプリッタモジュール１では、一方の収納体２に１×８の光スプリッタを収納することによって、１入力８出力（又は１出力８入力）にしている。但し、２個の収納体２のそれぞれに１×４の光スプリッタを収納することによって、２つの１入力４出力（又は１出力４入力）にすることもできる。なお、１入力８出力（又は１出力８入力）の光スプリッタモジュール１の場合、９個の光コネクタが装着されることになるが、図１Ｂでは高密度実装された光コネクタ３を説明するため、便宜上１０個の光コネクタ３が装着されている。
【００２７】
それぞれの収納体２は、５個の光コネクタ３を接続することができるように、５個の挿入口を有している。５個の挿入口は、設置面に対して垂直な上下方向に並んでいる。そして、２個の収納体２は左右に並んで配置されており、図１Ａ及び図１Ｂでは、左側の収納体２の５個の挿入口と右側の収納体２の５個の挿入口とが、互いに左右に隣り合う状態になっている。図１Ｂに示す状態では、作業者が光コネクタ３を摘みにくいため、高密度実装された光コネクタ３の着脱作業が難しい。
【００２８】
そこで、両方の収納体２に多数の光コネクタ３が接続されても光コネクタ３の着脱を容易にするため、それぞれの収納体２は、設置面に平行なピン８０を軸にしてベース７０に対して回転可能になっている。これにより、収納体２を回転させたとき、収納体２の５個の挿入口は、５個の挿入口が並ぶ上下方向に沿って移動する。
【００２９】
図２Ａは、一方の収納体２を回転させたときの光スプリッタモジュール１の説明図である。図２Ｂは、光コネクタ３が接続されているときの様子の説明図である。
【００３０】
左側の収納体２をベース７０に対して回転させることによって、左側の収納体２の５個の挿入口のいずれもが、右側の収納体２の５個の挿入口のいずれにも隣り合わない状態になっている。このように、本実施形態の光スプリッタモジュール１では、一方の収納体２を回転させることによって、回転させた側の収納体２の一番下の挿入口（設置面に一番近い挿入口）を、回転させていない側の収納体２の一番上の挿入口（設置面に一番遠い挿入口）よりも、上に位置させることができる（設置面から離れて位置させることができる）。言い換えると、本実施形態の光スプリッタモジュール１では、一方の収納体２を回転させることによって、回転させた側の収納体２の一番下の光コネクタ３を、回転していない側の収納体２の一番上の光コネクタ３よりも上に位置させることができる。このような位置まで収納体２を回転させれば、作業者は光コネクタ３の左右を摘んで着脱作業ができるようになるため、光コネクタ３の着脱作業が容易になる。
【００３１】
図３は、光スプリッタモジュール１の設置例の説明図である。図４Ａ及び図４Ｂは、図３の設置状態の概略説明図である。図４Ａは正面図であり、図４Ｂは側面図である。
【００３２】
大規模ビルやマンションの各階の壁面に光接続箱５が設置されている。光接続箱５の本体パネル５Ａの内面が設置面５Ａ１となり、この設置面５Ａ１に前述の光スプリッタモジュール１が設置されている。また、光接続箱５には、光接続箱５を開閉するための開閉部材である上蓋５Ｂが設けられている。そして、光スプリッタモジュール１は、光接続箱５の本体パネル５Ａと上蓋５Ｂとの間のごく限られた空間に設置する必要がある。
【００３３】
そこで、本実施形態では、内面が設置面５Ａ１となる本体パネル５Ａと上蓋５Ｂとの間に、光スプリッタモジュール１を設置している。そして、収納体２を回転させたときに、上蓋５Ｂを開けて開放された外部空間に向かって挿入口が移動するように、光スプリッタモジュール１を光接続箱５に設置している。
【００３４】
作業者が光コネクタの着脱作業を行うときには、上蓋５Ｂを開けてから光スプリッタモジュール１にアクセスするので、収納体２を回転させるときには既に上蓋５Ｂが開けられている。このため、収納体２の移動範囲に上蓋５Ｂ（閉じた状態の上蓋５Ｂ）が存在しても問題にはならない。また、収納体２の移動範囲には上蓋５Ｂ以外の部材は無いので、収納体２が回転したときに収納体２が他の部材とぶつかることも無い。したがって、この設置例によれば、光接続箱５の狭いスペースに光スプリッタモジュール１を設置できる。
【００３５】
また、本実施形態の光スプリッタモジュール１は、次の２つの比較例と比べると、光接続箱５の限られた空間に設置する際に有利である。
【００３６】
＜第１比較例＞
図５Ａ及び図５Ｂは、図１９のような光スプリッタモジュールを光接続箱に設置した第１比較例の概略説明図である。図５Ａは正面図であり、図５Ｂは側面図である。なお、本実施形態との比較のため、光スプリッタモジュールに着脱可能なコネクタの数を５個にしている。
【００３７】
第１比較例によれば、５個の挿入口が設置面に平行に並ぶように光スプリッタモジュールが設置されている。このため、図５Ａを見て理解できる通り、第１比較例では、光スプリッタモジュールの設置面積を広く確保する必要がある。このため、光接続箱の中の限られた空間に光スプリッタモジュールを設置するのに不利である。例えば、既存の光接続箱を利用して新たに光スプリッタモジュールを追加で設置する場合、第１比較例では光スプリッタモジュールを設置できない事態が生じるおそれがある。
【００３８】
＜第２比較例＞
図６Ａ及び図６Ｂは、第２比較例の概略説明図である。図６Ａは正面図であり、図６Ｂは側面図である。第２比較例では、第１比較例の光スプリッタモジュールの向きを変えて、光接続箱に設置している。
【００３９】
第２比較例では、５個の挿入口が設置面に対して垂直に並ぶように配置されており、一見すると、光スプリッタモジュールの設置面積が狭く見えるかもしれない。  
しかし、光コネクタ３を着脱するために筐体を回動させる必要があり、この光スプリッタモジュールでは筐体の回転軸は設置面に対して垂直になっている。このため、筐体は、設置面に沿って回動することになる。このように筐体が回動するため、光スプリッタモジュールの近傍の設置面には他の部材を設置することができない。若しくは、既に他の部材が設置されている設置面に、新たに光スプリッタモジュールを設置することが難しい。したがって、第２比較例においても、光接続箱の中の限られた空間に光スプリッタモジュールを設置するのに不利である。
【００４０】
＝＝＝光スプリッタモジュール１＝＝＝
既に説明した通り、光スプリッタモジュール１は、２個の収納体２と、ベース７０と、ピン８０とを有する。以下、収納体２と、ベース７０と、ピン８０の構成を順に説明する。
【００４１】
＜収納体２＞
ここでは２個の収納体２のうちの一方について説明し、他方の収納体２の説明は省略する。但し、他方の収納体２は構造が対称なだけである。
【００４２】
本実施形態の収納体２は、収納ケース２０（図７参照）と、内部コネクタ５０（図８、図９参照）と、カバー６０（図１０、図１１参照）とを有する。
【００４３】
・収納ケース２０
図７は、本実施形態の収納ケース２０の斜視図である。  
収納ケース２０は、ハウジング部３０と、収納部４０とを有する。ハウジング部３０は収納ケース２０の前側に位置し、収納部４０は収納ケース２０の後側に位置する。本実施形態の収納ケース２０は樹脂製であり、ハウジング部３０と収納部４０とが一体的に成型されている。
【００４４】
ハウジング部３０は、光コネクタ３（図１Ｂ参照）を前後方向に案内するための部材である。ハウジング部３０は、光コネクタを挿入するための挿入口３１を５個備えている。５個の挿入口３１は、上下方向に並んで配置されている。また、ハウジング部３０は、左右の側壁３２と、上壁３３及び下壁３４と、４個の隔壁３５とを有する。最も上側に位置する挿入口３１は、ハウジング部３０の左右の側壁３２と、ハウジング部３０の上壁３３と、隔壁３５とによって形成される。最も下側に位置する挿入口３１は、ハウジング部３０の左右の側壁３２と、ハウジング部３０の下壁３４と、隔壁３５とによって形成される。また、中央に位置する挿入口３１は、ハウジング部３０の左右の側壁３２と、上下の隔壁３５によって形成される。隔壁３５は、挿入口３１と挿入口３１との間に設けられている。言い換えると、５個の挿入口３１は、４個の隔壁３５によって区切られている。
【００４５】
ハウジング部３０は樹脂にて一体的に成型されている。つまり、５個の挿入口３１を形成している側壁３２、上壁３３、下壁３４及び隔壁３５は、一体的に成型されている。この結果、それぞれの隔壁３５の上面は、その隔壁３５の上側の挿入口３１の下面を形成するとともに、その隔壁３５の下面は、その隔壁３５の下側の挿入口３１の上面を形成している。
【００４６】
本実施形態のハウジング部３０は、通常の光アダプタ（例えばＪＩＳ  Ｃ  ５９７３のＦ０４形光ファイバコネクタ用の光アダプタ）を単に５個並べて５個の挿入口３１を構成した場合と比べて、小型化されている。もし仮に、通常の光アダプタを単に５個並べた場合には、挿入口と挿入口との間には光アダプタの外壁（上壁と下壁）の２枚分の厚みができる。これに対し、本実施形態では、挿入口３１と挿入口３１との間は隔壁１枚分の厚みだけになる。このため、本実施形態のハウジング部３０の上下方向の長さは、通常の光アダプタを単に５個並べた場合と比べて、およそ光アダプタの外壁（上壁又は下壁）の厚さの４枚分だけ小型化されている。
【００４７】
ハウジング部３０の上壁３３、下壁３４及び隔壁３５は、それぞれＳＣコネクタ用のキー溝３６を有している。キー溝３６は、ＳＣコネクタを前後方向（着脱方向）に案内するための溝である。本実施形態では、キー溝３６は、挿入口３１の数（５個）に対して、１個だけ余分にある（６個ある）。６個のキー溝３６は、上下方向に並んで形成されている。それぞれの挿入口３１の上面及び下面に、それぞれキー溝３６が形成されている。
【００４８】
それぞれの隔壁３５のキー溝３６は、その隔壁３５の上側の挿入口３１に挿入されるＳＣコネクタを前後方向に案内できるとともに、その隔壁３５の下側の挿入口３１に挿入されるＳＣコネクタ挿入されるＳＣコネクタを前後方向に案内できる。このように、隔壁３５のキー溝３６は、その隔壁３５を挟む２つの挿入口３１のいずれに挿入されるＳＣコネクタに対しても案内可能である。これにより、本実施形態の収納体２にＳＣコネクタを上下逆に挿入できるとともに、収納体２の上下方向の長さを小型化できる。
【００４９】
なお、外被で覆われた光ケーブルを接続する場合、外被や内部のテンションメンバが硬いため、光コネクタの向きを変え難いことがある。このような状況下においても、本実施形態の収納ケース２０であれば、光コネクタの向きを上下逆に挿入できるので（光コネクタの向きを１８０度回転させて挿入できるので）、光コネクタの接続が容易になる。
【００５０】
本実施形態では、ハウジング部３０は、収納部４０と一体的に成型されている。このため、ハウジング部３０を収納部４０に取り付けるための部材（通常の光アダプタのフランジに相当する部材）が不要になる。これにより、本実施形態の収納体２を小型化できる。
【００５１】
収納部４０は、光コネクタ３（図８参照）に光接続されることになる光ファイバを収納するための部材である。特に、本実施形態の収納部４０は、余長処理された光ファイバを収納することになる。なお、本実施形態の収納部４０が収納する光ファイバは、外被の無い状態である（いわゆる光ファイバ心線や光ファイバ素線である）。但し、収納体２の中に収納されれば外部に曝されずに済むので、光ファイバは外被の無い状態でも構わない。
【００５２】
収納部４０は、前側収納部４１と後側収納部４５とを有する。前側収納部４１と後側収納部４５は、ハウジング部３０とともに一体的に成型されている。作業者が収納部４０に光部品や光ファイバを配置できるようにするため、収納部４０の一方の面（図７では収納部４０の左側の面）は開放されている。
【００５３】
前側収納部４１は、内部コネクタ５０（後述、図８参照）を収納するための内部コネクタ用収納部である。前側収納部４１は、上下にある外壁４２と、４個の仕切り４３と、背面部４４とを有する。外壁４２の外側には、カバー６０の前側を固定するための前側係止部４２Ａが設けられている。外壁４２の内面と仕切り４３との間に、若しくは仕切り４３と仕切り４３の間に、内部コネクタ５０が収納されることになる（図８参照）。言い換えると、外壁４２の内面や仕切り４３は、内部コネクタ５０を上下方向に位置決めしている。背面部４４の内側（図７の左側）の面には、内部コネクタ５０を前後方向に位置決めするための凸部４４Ａが設けられている。この凸部４４Ａは、内部コネクタ５０の前後方向の動きを規制するための位置規制部として機能する。
【００５４】
後側収納部４５は、光スプリッタや光ファイバを収納するためのものである。後側収納部４５は、背面４６と外周壁４７によって収納空間４８を形成している。図７では図示されていないが、背面４６の外側（図７の右側）の面は、前側収納部４１の背面部４４の外側の面や、ハウジング部３０の右側の側壁３２と同一平面になっている。これにより、図２Ａ及び図２Ｂのように収納体２を回転させるときに、互いの収納体２の背面同士がぶつからないようになっている。外周壁４７の外側には、カバー６０の後側を固定するための後側係止部４７Ａが設けられている。
【００５５】
後側収納部４５の収納空間４８には、光スプリッタを固定するための光スプリッタ固定部４８１がある。なお、後側収納部４５の収納空間４８に、光スプリッタ以外の光部品（例えば、光コネクタ、メカニカルスプライス、融着補強スリーブ、ＷＤＭフィルタなど）を固定するための光部品固定部を設けても良い。収納空間４８には、余長処理された光ファイバを収納するための舌部４８２と円筒ガイド４８３が設けられている。舌部４８２は、余長処理されて収納された光ファイバを保持する保持部である。舌部４８２に光ファイバが引っ掛けられて保持されることによって、光ファイバの位置が規制される。なお、図中の舌部４８２の形状に限らず、光ファイバを保持するための保持部として様々な形状のファイバクランプを適用できる。収納空間４８に収納された光ファイバは、収納部４０の開放面から飛び出さないように舌部４８２に引っ掛けられることになる。円筒ガイド４８３は、余長処理されて収納される光ファイバに過度の曲げが生じないようにするための部材である。収納空間４８に収納された光ファイバは、円筒ガイド４８３の外周面に巻回されることになる。なお、円筒ガイド４８３のような円筒形状のガイドに限らず、半円筒状のガイド、角を丸めた略長方形状のガイド、円弧状のガイド、若しくは複数のピンを円弧状に配置したガイドなどを用いて光ファイバに過度の曲げが生じないようにしても良い。
【００５６】
円筒ガイド４８３の内側には、軸穴４８４と位置合わせ用窓４８５が設けられている。軸穴４８４は、ピン８０（図１Ａ及び図１Ｂ参照）を挿入するための穴である。この軸穴４８４を中心にして、収納体２が回転することになる。位置合わせ用窓４８５は、円形穴４８５Ａと矩形穴４８５Ｂとを結合した窓（穴）である。位置合わせ用窓４８５には、光スプリッタモジュール１の組み立て時に、ピン８０が一時的に挿入される（後述、図１４参照）。円筒ガイド４８３の内側には光ファイバが配線されることがないので、軸穴４８４や位置合わせ用窓４８５にピン８０を挿入するときに、収納空間４８に収納された光ファイバがピン８０の挿入の邪魔になることはない。
【００５７】
後側収納部４５の背面４６には、連絡窓４８６が設けられている。２個の収納体２の背面同士を合わせると、互いの連絡窓４８６が対向することになる。これにより、２個の収納体２の間で連絡窓４８６を通じて光ファイバを配線することができ、それぞれ５個の挿入口３１しかない収納体２を２個用いて１入力８出力（又は１出力８入力）の光スプリッタモジュール１を構成することが可能になっている。つまり、２個の収納体２の間で連絡窓４８６を通じて光ファイバを配線することによって、挿入口を２段構成にすることができ、挿入口が１段構成の光スプリッタモジュールよりも上下方向の寸法をおよそ半分にできる。
【００５８】
なお、連絡窓４８６は、円筒ガイド４８３の外側に、軸穴４８４の近くに設けられており、上下方向に延びた形状をしている。これにより、図２Ａ及び図２Ｂに示すように一方の収納体２を回転させても、互いの連絡窓４８６の少なくとも一部は対向し続けている。また、連絡窓４８６は、内部コネクタ５０を通せる程度の幅を有している。
【００５９】
本実施形態では、軸穴４８４から見た連絡窓４８６の下縁４８６Ｂと上縁４８６Ａとの角度（連絡窓４８６の下縁４８６Ｂと軸穴４８４とを結ぶ線と、連絡窓４８６の上縁４８６Ａと軸穴４８４とを結ぶ線との角度）は、軸穴４８４から見た一番下の挿入口３１と一番上の挿入口３１（最も離れている２個の挿入口）との角度や、軸穴４８４から見た下壁３４と上壁３３との角度よりも、大きい。このように連絡窓４８６を形成することによって、着脱位置まで収納体２を回転させても、着脱位置の収納体２と通常位置の収納体２の互いの連絡窓４８６の少なくとも一部が対向し続ける。これにより、連絡窓４８６を通じて光ファイバを配線させることを可能にしている。
【００６０】
前側収納部４１は、光ファイバや光スプリッタなどと比べて厚みのある内部コネクタ５０を収納するため、後側収納部４５よりも厚みが必要になる（前側収納部４１の外壁４２の左右方向の幅は、後側収納部４５の外周壁４７の左右方向の幅よりも大きい必要がある。）。その一方、前側収納部４１の背面部４４の外側の面は、後側収納部４５の背面４６の外側（図７の右側）の面と同一平面にする必要がある。このため、収納部４０の開放されている側（図７の左側）は、およそ２段階で左右方向の高さが異なっている。つまり、前側収納部４１の外壁４２は、後側収納部４５の外周壁４７よりも、図７の左側に突出している。
【００６１】
・内部コネクタ５０
通常の光アダプタは、２個のハウジングでスリーブと割スリーブを挟むことによって、スリーブと割スリーブを内包している。但し、本実施形態の収納ケース２０ではハウジング部３０の全体が一体成型されているため、ハウジング部３０の内部にスリーブや割スリーブを内包させることができない。そこで、収納ケース２０の収納部４０に内部コネクタ５０を収納させている。
【００６２】
図８は、内部コネクタ５０と、内部コネクタ５０を前側収納部４１に収納した様子の斜視図である。図９は、内部コネクタ５０の分解図である。
【００６３】
内部コネクタ５０は、ハウジング部３０の挿入口３１に挿入される光コネクタ（例えばＳＣコネクタ）と接続するために収納体２内に設けられたコネクタである。内部コネクタ５０は、コネクタ本体５１と、割スリーブ５２と、フェルール５３と、バネ５４と、バネ押さえ５５とを有する。
【００６４】
コネクタ本体５１は、スリーブ部５１Ａと、割スリーブ収納部５１Ｂと、前フランジ５１Ｃと、後フランジ５１Ｄと、係止窓５１Ｅとを有する。スリーブ部５１Ａは、ハウジング部３０の挿入口３１に挿入される光コネクタと接続する部材である。スリーブ部５１Ａの前側は、挿入口３１に挿入される光コネクタの規格に従った形状になっている。割スリーブ収納部５１Ｂは、コネクタ本体５１の後側から挿入された割スリーブ５２を収納する。前フランジ５１Ｃと後フランジ５１Ｄは、コネクタ本体５１を前後方向に位置決めするための部材である。コネクタ本体５１が収納部４０の前側収納部４１に収納されたとき、前フランジ５１Ｃと後フランジ５１Ｄとの間に、前側収納部４１の凸部４４Ａが入り込むことによって、コネクタ本体５１が位置決めされる。これにより、挿入口３１に光コネクタが挿入されて内部コネクタ５０と物理的に接触しても、内部コネクタ５０が後側にずれることが防止される。
【００６５】
フェルール５３は、収納部４０に収納される光ファイバ（不図示）の端部を保持する部材である。フェルール５３は、例えばジルコニア製、樹脂製又はステンレス製である。バネ５４は、フェルール５３を前後方向に付勢するための部材である。バネ５４の一端はフェルール５３に接触し、他端はバネ押さえ５５に接触する。コネクタ接続時にバネ５４がフェルール５３を適度に押すことにより、光ファイバ端面同士が安定してＰＣ接続（ＰＣは、Physical Contactの略）されることになる。
【００６６】
バネ押さえ５５は、貫通穴５５Ａと、ガイド部５５Ｂと、押さえ部５５Ｃと、固定プレート５５Ｄとを有する。貫通穴５５Ａには、フェルール５３が保持している光ファイバが挿通される。ガイド部５５Ｂはバネ５４を前後方向に伸縮可能に案内する。押さえ部５５Ｃは、バネ５４の端部と接触し、バネ５４を介してフェルール５３を前後方向に付勢する。固定プレート５５Ｄは、コネクタ本体５１の係止窓５１Ｅに係合して、バネ押さえ５５をコネクタ本体５１に固定するための部材である。バネ押さえ５５の固定プレート５５Ｄがコネクタ本体５１の係止窓５１Ｅに係合したとき、バネ５４が適度に弾性変形することによって、バネ５４がフェルール５３を適度に押すことができる。
【００６７】
・カバー６０
図１０は、カバー６０の斜視図である。図１１は、カバー６０の正投影図である。カバー６０は、収納ケース２０の収納部４０を覆うための部材である。カバー６０は、樹脂製の部材であり、前側カバー６１と、後側カバー６２とを有する。
【００６８】
前側カバー６１は、収納ケース２０の前側収納部４１を覆う部分である。前側カバー６１は、前側係合部６１Ａと凸部６１Ｂとを有する。前側係合部６１Ａは、収納ケース２０の前側係止部４２Ａ（図７参照）に係合して、カバー６０を収納ケース２０に固定する。凸部６１Ｂは、カバー６０の内側の面に５個並んで設けられている。この凸部６１Ｂは、内部コネクタ５０を前後方向に位置決めするための部材である。この凸部６１Ｂは、内部コネクタ５０の前後方向の動きを規制するための位置規制部として機能する。カバー６０が収納ケース２０に固定されたとき、内部コネクタ５０の前フランジ５１Ｃと後フランジ５１Ｄとの間に凸部６１Ｂが入り込むことによって、内部コネクタ５０が位置決めされる。つまり、収納体２の中の内部コネクタ５０は、前フランジ５１Ｃと後フランジ５１Ｄとの間に収納ケース２０の凸部４４Ａとカバー６０の凸部６１Ｂとが入り込むことによって、固定されている。これにより、挿入口３１に光コネクタが挿入されて内部コネクタ５０と物理的に接触しても、内部コネクタ５０が後側にずれることが防止される。
【００６９】
後側カバー６２は、収納ケース２０の後側収納部４５を覆う部分である。後側カバー６２は、後側係合部６２Ａと、軸穴６２Ｂと、突起６２Ｃとを有する。後側係合部６２Ａは、収納ケース２０の後側係止部４７Ａ（図７参照）に係合して、カバー６０を収納ケース２０に固定する。軸穴６２Ｂは、ピン８０（図１Ａ及び図１Ｂ参照）を挿入するための穴である。この軸穴６２Ｂを中心にして、収納体２が回転することになる。突起６２Ｃは、ベース７０の位置決め穴（後述、図１２参照）に入り込むことによって、収納体２の回転方向の位置決めを行うための部材である。
【００７０】
突起６２Ｃがベース７０の下側の位置決め穴に入り込むと、収納体２は、通常位置に位置決めされた状態で固定される。また、突起６２Ｃがベース７０の上側の位置決め穴に入り込むと、収納体２は、着脱位置に位置決めされた状態で固定される。
【００７１】
なお、収納ケース２０の収納部４０の開放側（図７の左側）では２段階で高さが異なっているため、このような収納ケース２０の形状に適合するように、カバー６０の前側カバー６１と後側カバー６２との間にも段差ができている。
【００７２】
＜ベース７０＞
図１２は、ベース７０の斜視図である。ベース７０は、収納体２を固定するための部材である。ベース７０は、ほぼＵ字型の樹脂製の部材であり、左右に設けられた側面部７２と、底面部７４と、固定部７６とを有する。
【００７３】
側面部７２は、２個の収納体２を挟み込む部材である。左右のそれぞれの側面部７２は、軸穴７２Ａと、２個の位置決め穴（第１位置決め穴７３Ａ及び第２位置決め穴７３Ｂ）とを有する。
【００７４】
軸穴７２Ａは、ピン８０（図１Ａ及び図１Ｂ参照）を挿入するための穴である。この軸穴７２Ａを中心にして、収納体２が回転することになる。  
２個の位置決め穴（第１位置決め穴７３Ａ及び第２位置決め穴７３Ｂ）は、収納体２の回転方向の位置を規制するためのものである。２個の位置決め穴（第１位置決め穴７３Ａ及び第２位置決め穴７３Ｂ）にカバー６０の突起６２Ｃ（図１０、図１１参照）が入り込むことによって、収納体２の回転方向の位置決めが行われる。つまり、２個の位置決め穴（第１位置決め穴７３Ａ及び第２位置決め穴７３Ｂ）とカバー６０の突起６２Ｃとによって、位置決め機構が構成されている。
【００７５】
第１位置決め穴７３Ａは、第２位置決め穴７３Ｂよりも下側に位置している。図２Ａ及び図２Ｂの右側の収納体２は、第１位置決め穴７３Ａにカバー６０の突起６２Ｃが入り込むことによって、通常位置に位置決めされている。また、図２Ａ及び図２Ｂの左側の収納体２は、第１位置決め穴７３Ｂにカバー６０の突起６２Ｃが入り込むことによって、着脱位置に位置決めされている。
【００７６】
軸穴７２Ａから見て第１位置決め穴７３Ａと第２位置決め穴７３Ｂとの角度はおよそ３０度である。言い換えると、第１位置決め穴７３Ａと軸穴７２Ａとを結ぶ線と、第２位置決め穴７３Ｂと軸穴７２Ａとを結ぶ線は、およそ３０度である。この角度は、図７の収納ケース２０における軸穴４８４から見た一番下の挿入口３１と一番上の挿入口３１（最も離れている２個の挿入口）との角度や、軸穴４８４から見た下壁３４と上壁３３との角度よりも、大きい。このように軸穴７２Ａに対して第１位置決め穴７３Ａ及び第２位置決め穴７３Ｂを形成することによって、着脱位置に位置決めされた収納体２の５個の挿入口３１のいずれもが、通常位置に位置決めされた収納体２の５個の挿入口のいずれにも隣り合わない状態になる。
【００７７】
可撓部７２Ｃは、可撓性のある部分であり、外側に向かって撓むことができる。可撓部７２Ｃは、一部を残して周囲を切り込みで囲まれている。２個の位置決め穴（第１位置決め穴７３Ａ及び第２位置決め穴７３Ｂ）は、可撓部７２Ｃに設けられている。これにより、作業者が収納体２を回転させるときに、可撓部７２Ｃが外側に向かって撓み、突起６２Ｃが位置決め穴（第１位置決め穴７３Ａ及び第２位置決め穴７３Ｂ）から外れやすくなっている。
【００７８】
なお、側面部７２は、２個の収納体２の後側を挟持している。これにより、光スプリッタモジュール１の左右方向の幅を狭くすることができる。もし仮に側面部７２が収納体２の前側を挟持すると、収納体２は後側よりも前側の方が厚いため、光スプリッタモジュール１の左右方向の幅は広くなってしまう。
【００７９】
底面部７４は、左右の側面部７２を連結する部材である。固定部７６は、光スプリッタモジュール１を設置面に固定するための部材である。
【００８０】
本実施形態の光スプリッタモジュール１が固定部７６によって設置面に固定されると、２つの側面部７２が設置面に対して垂直になり、２つの軸穴７２Ａが設置面に対して平行に並んで位置する。これにより、５個の挿入口３１が設置面に垂直に並ぶように収納体２が配置され、収納体２の回転軸が設置面と平行になる。したがって、収納体２を通常位置から着脱位置に回転させるときには、作業者は、５個の挿入口３１が並ぶ方向に沿って設置面と垂直に（上に向かって）力を加えて収納体２を回転させることになる。
【００８１】
＜ピン８０＞
図１３は、ピン８０の斜視図である。ピン８０は、ベース７０に対して収納体２を回転可能に固定するための部材である。ピン８０は、樹脂製の部材であり、主軸部８１と、頭部８２と、首部８３と、切欠部８４と、終端部８５とを有する。
【００８２】
主軸部８１は、収納体２の回転軸となる。首部８３を含む主軸部８１の軸方向の長さは、収納体２の２個分の厚さに相当する。
【００８３】
頭部８２は、ピン８０の先を先太にしてフック形状にした部分である。頭部８２は、切欠部８４によって２つに割れた形状になっている。頭部８２の最も太い部分は、収納体２の軸穴（収納ケース２０の軸穴４８４、カバー６０の軸穴６２Ｂ）やベース７０の軸穴７２Ａよりも若干太い。但し、切欠部８４によって２つに分割された頭部８２は内側に向かって若干撓むことが可能であるため、これらの軸穴（４８４、６２Ｂ、７２Ａ）に頭部８２を挿入することが可能になっている。また、図１Ａ及び図１Ｂに示すように軸穴を貫通した頭部８２の撓みが戻れば、フック形状によってピン８０が外れることが防止される。  
なお、頭部８２の軸方向の長さは、後側収納部４５の厚さよりも短い。これは、頭部８２を位置合わせ用窓４８５に頭部８２を挿通した状態で（後述、図１４参照）、収納ケース２０にカバー６０を取り付け可能にするためである。
【００８４】
首部８３は、主軸部８１と頭部８２との間のくびれた部分である。首部８３には、互いに平行な２つの平面が形成されている。首部８３も切欠部８４によって２つに割れた形状になっている。首部８３の２つの平面の間隔は、収納ケース２０の位置合わせ用窓４８５の矩形穴４８５Ｂ（図７参照）の幅とほぼ等しい。
【００８５】
切欠部８４は、ピン８０の先から軸方向に沿って形成された切欠である。切欠部８４は、頭部８２と首部８３を２つに分割するように構成されている。これにより、２つに分割された頭部８２及び首部８３は、内側に向かって若干撓むことが可能である。
【００８６】
終端部８５は、頭部８２とは反対側のピン８０の端部に設けられた円盤状の部材である。終端部８５は主軸部８１の径よりも大きい。図１Ａ及び図１Ｂでは不図示であるが、終端部８５は、ベース７０の右側の側面部７２と接触している。言い換えると、ピン８０は、終端部８５の位置まで軸穴に差し込まれている。
【００８７】
＝＝＝組み立て方＝＝＝
ここでは、１入力８出力（又は１出力８入力）の光スプリッタモジュール１の組み立て方について説明する。図１４は、組み立て時の様子の説明図である。
【００８８】
まず、作業者は、２個の収納ケース２０とピン８０を用意する。そして、作業者は、２個の収納ケース２０の背面同士を合わせ、互いの連絡窓４８６を対向させるとともに、互いの位置合わせ用窓４８５を対向させる。作業者は、互いの位置合わせ用窓４８５を合わせた状態で、ピン８０の頭部８２を円形穴４８５Ａに挿通させた後、ピン８０を収納ケース２０に対して後方向にスライドさせて、ピン８０の首部８３を矩形穴４８５Ｂ（図７参照）に差し込む。これにより、２個の収納ケース２０が固定され、互いの連絡窓４８６の対向状態が維持される。なお、図１４は、このときの状態を示している。
【００８９】
次に、作業者は、ピン８０の頭部８２の側の収納ケース２０に、光部品や光ファイバを配置・配線する。例えば、作業者は、１×８の光スプリッタを光スプリッタ固定部４８１と外周壁４７との間に挟んで固定する。光スプリッタの入力側の光ファイバの端部には内部コネクタ５０が取り付けられており、その内部コネクタ５０は、収納ケース２０の前側収納部４１に収納される。また、光スプリッタの出力側の８本の光ファイバのうちの４本の光ファイバの端部にも内部コネクタ５０が取り付けられており、これらの４個の内部コネクタ５０も、収納ケース２０の前側収納部４１に収納される。光ファイバは、必要に応じて、円筒ガイド４８３の外周面に巻き回され、舌部４８２に引っ掛けられることによって、余長処理される。
【００９０】
さらに、作業者は、光スプリッタの出力側の残りの４本の光ファイバを、連絡窓４８６を通じて、反対側の収納体２に送り出す。連絡窓４８６は内部コネクタ５０を通せる程度の幅を有しているので、残りの光ファイバの端部に内部コネクタ５０が取り付けられていても、光ファイバを反対側の収納体２に送り出すことができる。また、ピン８０によって２個の収納ケース２０が固定されているため、残りの光ファイバを連絡窓４８６に挿通させる作業は容易になる。
【００９１】
作業者は、ピン８０の頭部８２の側の収納ケース２０に光部品や光ファイバを配置・配線した後、収納ケース２０にカバー６０を取り付ける。ピン８０の頭部８２の軸方向の長さが後側収納部４５の厚さよりも短いため、図１４に示す状態でカバー６０を収納ケース２０に取り付けることが可能である。カバー６０が収納ケース２０に取り付けられると、収納ケース２０の凸部４４Ａとカバー６０の凸部６１Ｂが、内部コネクタ５０の前フランジ５１Ｃと後フランジ５１Ｄとの間に入り込み、内部コネクタ５０が収納体２内で前後方向にずれないように固定される。
【００９２】
次に、作業者は、反対側の収納ケース２０に、光部品や光ファイバを配置・配線する。連絡窓４８６を通じて受け渡された４本の光ファイバの端部には内部コネクタ５０が取り付けられており、この４個の内部コネクタ５０は、収納ケース２０の前側収納部４１に収納される。また、光ファイバは、必要に応じて、円筒ガイド４８３の外周面に巻き回され、舌部４８２に引っ掛けられることによって、余長処理される。作業者は、反対側の収納ケース２０に光部品や光ファイバを配置・配線した後、ピン８０を位置合わせ用窓４８５から外し、収納ケース２０にカバー６０を取り付ける。その後、作業者は、速やかに２個の収納体２をベース７０の側面部７２の間に入れて、位置合わせ用窓４８５から外したばかりのピン８０を軸穴に挿入する。作業者は、ピン８０の終端部８５がベース７０の側面部７２に突き当たり、ピン８０の頭部８２が反対側の側面部７２に達して引っ掛かるようになるまで、ピン８０を挿入する。これにより、光スプリッタモジュール１の組み立てが完了する。
【００９３】
＝＝＝別の設置例＝＝＝
図１５Ａは、別の設置例の説明図である。図１５Ｂは、上から見た概略説明図である。例えば、既設の配電盤に光スプリッタモジュールを収容する場合（配電盤が光接続箱５を兼ねる場合）などに、このような設置例となる。
【００９４】
この光接続箱５はフレーム６を備えており、フレーム６の前面に開閉扉７が設けられている。フレーム６の前側の前側フレーム６Ａには、開閉扉７のロック機構を受けるためのロック用穴６Ｂが形成されている。このような形状の光接続箱５では、中央部の広いスペースには各種の配電部材が既に配置されているため、中央部に光スプリッタモジュールを設置することができないことが多い。しかし、このような形状の光接続箱５では、前側フレーム６Ａの裏側が死角になるため、有効利用されずにスペースが空いていることがある。但し、前側フレーム６Ａの裏側は狭いため、例えば図１９のような幅広の光スプリッタモジュールを設置できないことが多い。
【００９５】
このような場合に、図１５Ａ及び図１５Ｂに示すように、フレーム６の内側側面６Ｃを設置面にして、本実施形態の光スプリッタモジュール１を設置することが可能である。また、死角になるような場所に本実施形態の光スプリッタモジュール１が設置されても、収納体２を回転させれば、光コネクタの着脱作業が容易である。
【００９６】
＝＝＝変形例＝＝＝
＜変形例１＞
前述の実施形態では、光コネクタの挿入口３１の上下方向にキー溝３６が設けられていた（図１Ａ、図７参照）。但し、キー溝の位置や光コネクタの方向は、これに限られるものではない。
【００９７】
図１６は、変形例の光スプリッタモジュールの説明図である。このように、挿入口の左右方向にキー溝を設けても良い。この場合、光スプリッタモジュールの幅は長くなるが、厚さを抑えることができる。つまり、挿入口の断面形状が長方形の場合、その長方形の長辺方向に沿って挿入口を並べれば、光スプリッタモジュールの厚さを短辺長さ相当に抑えることができる。
【００９８】
＜変形例２＞
前述の実施形態では、収納体２の挿入口の数は５個であった。但し、挿入口の数は、これに限られるものではない。
【００９９】
図１７は、９個の挿入口を備えた光スプリッタモジュールの変形例の説明図である。それぞれの光スプリッタモジュールには、挿入口が９個設けられている。このような光スプリッタモジュールを２個用いて、１入力１６出力（又は１出力１６入力）の光スプリッタモジュールユニットを構成することができる。若しくは、それぞれの光スプリッタモジュールを１入力８出力（又は１出力８入力）にしてもよい。
【０１００】
＜変形例３＞
前述の実施形態では、ハウジング部と収納部が一体的に成型されていた。しかし、ハウジング部と収納部が一体的に成型されていなくても良い。例えば、通常の光アダプタ（例えばＪＩＳ  Ｃ  ５９７３のＦ０４形光ファイバコネクタ用の光アダプタ）を単に５個並べて５個の挿入口３１を構成しても良い。但し、この場合、光アダプタのフランジのビス穴を用いて光アダプタを収納ケースに取り付ける必要があるため、また、挿入口と挿入口との間には光アダプタの外壁（上壁と下壁）の２枚分の厚みができるため、前述の実施形態よりも収納体が大きくなる。
【０１０１】
＜変形例４＞
前述の実施形態では、ピン８０を回転軸にして収納体２が回転していた。しかし、ピン８０を用いずに収納体２を回転させても良い。例えば、収納体２の外側に軸となる突起を設け、その突起をベース７０の軸穴に挿入させても良い。そして、その突起を回転軸にして収納体２を回転させても良い。
【０１０２】
また、前述の実施形態では、２個の収納体の両方が回転可能になっていた。しかし、一方の収納体だけが回転可能であり、他方の収納体が回転できなくても良い。このような構成であっても、回転していない側の収納体の光コネクタを作業者が摘んで着脱作業をすることは可能である。但し、両方の収納体が回転可能になっている方が、光コネクタの着脱作業は容易になる。
【０１０３】
＜変形例５＞
前述の実施形態では、光スプリッタモジュール１が２個の収納体を備えていた。但し、光スプリッタモジュールが備える収納体の数は２個に限られるものではない。
【０１０４】
図１８は、収納体を１個だけ備えた光スプリッタモジュールの説明図である。この光スプリッタモジュールにおいても、５個の挿入口は、設置面に対して垂直な上下方向に並んでいる。また、収納体２は、設置面と平行なピンを軸にしてベースに対して回転可能になっている。これにより、収納体２を回転させたとき、収納体２の５個の挿入口は、５個の挿入口が並ぶ上下方向に沿って移動する。
【０１０５】
このような光スプリッタモジュールであれば、前述の第１比較例の光スプリッタモジュール（図４Ａ及び図４Ｂ参照）のように広い設置面積を必要としない。また、前述の第２比較例の光スプリッタモジュール（図５Ａ及び図５Ｂ参照）のように設置面に沿って収納体２が回動しないので、設置面に他の部材が設置されても良い。したがって、図１８のような光スプリッタモジュールであっても、狭いスペースに設置することができる。
【０１０６】
また、光スプリッタモジュール１が３個以上の収納体を備えていても良い。
【０１０７】
＜変形例６＞
前述の実施形態では、一方の収納体を回転させることによって、回転させた側の収納体の複数の挿入口のいずれもが、回転させていない側の収納体の複数の挿入口のいずれにも隣り合わない状態にしていた。しかし、収納体をここまで回転させなくても良い。
【０１０８】
例えば、収納体の回転角度を１５度くらいにし、前述の実施形態の半分程度しか回転できなくても良い。このような光スプリッタモジュールであっても、上側半分の挿入口に対して光コネクタを着脱する場合には、着脱対象の挿入口の側の収納体を回転させれば、光コネクタの着脱作業が容易である。また、下側半分の挿入口に対して光コネクタを着脱する場合には、他方の収納体を回転させれば着脱対象の挿入口に隣り合っていた光コネクタが邪魔にならなくなるため、光コネクタの着脱作業が容易である。
【０１０９】
＜変形例７＞
前述の実施形態では、収納体２に突起６２Ｃが形成されており、ベース７０に位置決め穴が形成されており、これらが位置決め機構となって収納体２を通常位置や着脱位置に固定していた。
【０１１０】
但し、収納体２の側に位置決め穴が設けられ、ベース７０の側に突起が設けられても良い。このような構成であっても、突起が位置決め穴に入り込むことによって、収納体をベースに対して固定することができる。また、収納体２に２個の位置決め穴を設け、一方の位置決め穴に突起が入り込むことによって収納体を通常位置に位置決めし、他方の位置決め穴に突起が入り込むことによって収納体を着脱位置に位置決めしても良い。そして、この場合、収納体の回転軸から見た２個の位置決め穴の角度は、回転軸から見た一番下の挿入口と一番上の挿入口（最も離れている２個の挿入口）との角度よりも大きくすると良い。これにより、着脱位置に位置決めされた収納体の挿入口のいずれもが、通常位置に位置決めされた収納体の挿入口のいずれにも隣り合わない状態にできる。
【０１１１】
また、位置決め機構が無く、通常位置や着脱位置で収納体を固定できなくても良い。この場合、収納体の姿勢が不安定な状態で光コネクタを着脱することになるが、一方の収納体の５個の挿入口のいずれもが、他方の収納体の５個の挿入口のいずれにも隣り合わない状態まで収納体を回転させれば、光コネクタの着脱作業は容易である。
【０１１２】
＜変形例８＞
前述の実施形態では、光スプリッタモジュールの収納体を回転させている。但し、光モジュールは、光スプリッタモジュールに限られるものではない。例えば、光カプラモジュールでも良いし、光ファンアウトモジュールであっても良い。つまり、光部品や光ファイバ（若しくは光ファイバの一部）などから構成される光モジュールにおいて、収納体の複数の挿入口が設置面に対して垂直な方向に並んで配置されており、収納体の回転軸が設置面と平行な方向であり、収納体の複数の挿入口が設置面に対して垂直な方向に移動するように収納体がベースに対して回転可能であれば良い。これにより、光コネクタの着脱作業が容易な光モジュールを狭いスペースに設置することができる。
【０１１３】
なお、光ファンアウトモジュールは、多心の光ファイバテープ心線等を複数の単心光ファイバに変換するための光モジュールである。このため、光ファンアウトモジュールの場合には、ハウジング部は、多心光ファイバの光コネクタを挿入できる挿入口を備えるとよい。なお、光ファンアウトモジュールの収納体の中に光部品であるＭＰＯアダプタを収納してもよい。
【０１１４】
また、前述の実施形態では、光モジュールへの入出力は全てコネクタを介していたが、これに限られるものではない。収納ケースに光ファイバを直接導入する導入口が設けられていても良い。例えば、収納ケースにケーブル導入口を設け、このケーブル導入口からコネクタを介さずに光ファイバケーブルを収納ケースに導入し、導入された光ファイバケーブルから口出しされた光ファイバを収納ケースの収納部に収納するとともに、光ファイバの端部に内部コネクタを取り付け、その内部コネクタを収納ケースの前側収納部に収納し、ハウジング部の挿入口から光コネクタを介して出力できるようにしても良い。
【０１１５】
＜変形例９＞
前述の実施形態では、光コネクタ３はＳＣコネクタであったが、光コネクタの種類はこれに限られない。例えば、ＭＵコネクタやその他の種類の光コネクタであっても良い。また、単心の光コネクタでなく、多心の光コネクタであっても良い。
【符号の説明】
【０１１６】
１  光スプリッタモジュール、２  収納体、３  光コネクタ、
５  光接続箱、５Ａ  本体パネル、５Ａ１  設置面、５Ｂ  上蓋（開閉部材）、
６  フレーム、６Ａ  前側フレーム、６Ｂ  ロック用穴、
６Ｃ  フレームの内側側面（設置面）、７  開閉扉（開閉部材）、
２０  収納ケース、
３０  ハウジング部、３１  挿入口、３２  側壁、３３  上壁、３４  下壁、
３５  隔壁、３６  キー溝、
４０  収納部、４１  前側収納部、４２  外壁、４２Ａ  前側係止部、
４３  仕切り、４４  背面部、４４Ａ  凸部、
４５  後側収納部、４６  背面、４７  外周壁、４７Ａ  後側係止部、
４８  収納空間、４８１  光スプリッタ固定部、４８２  舌部、
４８３  円筒ガイド、４８４  軸穴、
４８５  位置合わせ用窓、４８５Ａ  円形穴、４８５Ｂ  矩形穴、
４８６  連絡窓、４８６Ａ  上縁、４８６Ｂ  下縁、
５０  内部コネクタ、５１  コネクタ本体、５１Ａ  スリーブ部、
５１Ｂ  割スリーブ収納部、５１Ｃ  前フランジ、５１Ｄ  後フランジ、５１Ｅ  係止窓、
５２  割スリーブ、５３  フェルール、５４  バネ、５５  バネ押さえ、
５５Ａ  貫通穴、５５Ｂ  ガイド部、５５Ｃ  押さえ部、５５Ｄ  固定プレート、
６０  カバー、６１  前側カバー、６１Ａ  前側係合部、６１Ｂ  凸部、
６２  後側カバー、６２Ａ  後側係合部、６２Ｂ  軸穴、６２Ｃ  突起、
７０  ベース、７２  側面部、７２Ａ  軸穴、７２Ｃ  可撓部、
７３Ａ  第１位置決め穴、７３Ｂ  第２位置決め穴、
７４  底面部、７６  固定部、
８０  ピン、８１  主軸部、８２  頭部、８３  首部、８４  切欠部、８５  終端部
【図１】
0005492642.tif 000002
【図２】
0005492642.tif 000003
【図３】
0005492642.tif 000004
【図４】
0005492642.tif 000005
【図５】
0005492642.tif 000006
【図６】
0005492642.tif 000007
【図７】
0005492642.tif 000008
【図８】
0005492642.tif 000009
【図９】
0005492642.tif 000010
【図１０】
0005492642.tif 000011
【図１１】
0005492642.tif 000012
【図１２】
0005492642.tif 000013
【図１３】
0005492642.tif 000014
【図１４】
0005492642.tif 000015
【図１５】
0005492642.tif 000016
【図１６】
0005492642.tif 000017
【図１７】
0005492642.tif 000018
【図１８】
0005492642.tif 000019
【図１９】
0005492642.tif 000020